(57)【要約】【課題】簡易な構造で左右の鏡筒の動きを連動させることが可能な双眼鏡を提供する。【解決手段】本発明の双眼鏡は、左側鏡筒２Ｌと、右側鏡筒２Ｒと、左右の鏡筒２Ｌ及び２Ｒの間に位置する鏡筒支持体１と、左右の鏡筒２Ｌ及び２Ｒと鏡筒支持体１とを回転可能に繋ぐ左側ヒンジ部３１と、右側ヒンジ部３２と、前記左右の鏡筒２Ｌ及び２Ｒの回転を連動させる連動装置４を有する双眼鏡であって、連動装置４は、左側ベルト保持部材４１と、右側ベルト保持部材４２と、左側ベルト保持部材４１と右側ベルト保持部材４２との間に掛けられるベルト４３と、を有する。【選択図】  図１
2004252126.tif 000002
【特許請求の範囲】
【請求項１】
左右の鏡筒と、前記左右の鏡筒の間にある鏡筒支持体と、前記左右の鏡筒と前記鏡筒支持体とを回転可能に繋ぐ左右のヒンジ部と、前記左右の鏡筒間に設けられた連動装置を有し、
前記連動装置は、前記左の鏡筒側に取り付けられた左側ベルト保持部材と、前記右の鏡筒側に取り付けられた右側ベルト保持部材と、前記左側ベルト保持部材と前記右側ベルト保持部材との間に、前記左右の鏡筒の回転が略同量だけ逆回転するように掛けられたベルトとを有すること
を特徴とする双眼鏡。
【請求項２】
請求項１記載の双眼鏡であって、
前記連動装置の前記ベルトは、前記左側ベルト保持部材と前記右側ベルト保持部材との間に八の字に掛けられること
を特徴とする双眼鏡。
【請求項３】
左右の鏡筒と、前記左右の鏡筒の間にある鏡筒支持体と、前記左右の鏡筒と前記鏡筒支持体とを回転可能に繋ぐ左右のヒンジ部と、前記左右の鏡筒間に設けられた連動装置を有し、
前記連動装置は、左側ベルト保持部材と、右側ベルト保持部材と、前記左右のベルト保持部材間に設けられた反転ギアと、ベルトとを有し、
前記反転ギアは、前記左側ベルト保持部材或いは前記右側ベルト保持部材のいずれかと噛み合い、
前記ベルトは、前記反転ギアと、前記反転ギアにかみ合わない前記左側ベルト保持部材或いは前記右側ベルト保持部材のいずれかとの間に一重の環として掛けられること
を特徴とする双眼鏡。
【請求項４】
前記鏡筒支持体は、撮像装置を有することを特徴とする請求項１乃至３のいずれか１項に記載の双眼鏡。
【発明の詳細な説明】
【０００１】
【発明の属する技術分野】
本発明は、眼幅調整を行なう双眼鏡に関する。
【０００２】
【従来の技術】
観察者が双眼鏡を用いて対象を観察する際には、双眼鏡の左右の鏡筒を観察者の眼幅に合わせることが好ましい（双眼鏡の左右の鏡筒の位置を観察者の眼幅に合わせることを、眼幅調整という）。従来、眼幅調整を行なえるようにするために、さまざまな手段が用いられてきた。そして、左右の鏡筒間に支持体を有する二軸式双眼鏡の場合、観察時の双眼鏡の姿勢を考えると、左右の鏡筒を結ぶ直線と支持体の横方向の中心ラインが略平行になることが好まれる。特に、撮像装置が取り付けられた双眼鏡では、双眼鏡の視野と撮像装置の視野とを平行に保つ必要がある。そのため、左右の鏡筒の接眼光軸を結んだ線と撮像素子の長辺が平行となるように、複数のギアを用いて左右の鏡筒の位置を連動させて変化させる手段が提案されており（例えば、特許文献１）、これは撮像素子を有する双眼鏡において、撮影画像と観察像との整合をとる目的で重要な手段である。
【０００３】
【特許文献１】
特開２００１−２８１５５５号公報「撮像機能付き双眼鏡」
【０００４】
【発明が解決しようとする課題】
しかし、特許文献１の図６に示される従来例のように、複数の連動ギアを介して離れた左右の鏡筒の動きを連動させる構造では、多くの連動ギアが必要となり、構造が複雑なものとなった。
【０００５】
本発明はこのような事情に鑑みてなされたもので、その課題は、簡易な構造で左右の鏡筒の動きを連動させることが可能な双眼鏡を提供することにある。
【０００６】
【課題を解決するための手段】
上記課題を解決するために、請求項１に係る発明の双眼鏡は、左右の鏡筒と、前記左右の鏡筒の間にある鏡筒支持体と、前記左右の鏡筒と前記鏡筒支持体とを回転可能に繋ぐ左右のヒンジ部と、前記左右の鏡筒間に設けられた連動装置とを有する。
【０００７】
前記連動装置は、前記左側の鏡筒側に取り付けられた左側ベルト保持部材と、前記右側の鏡筒側に取り付けられた右側ベルト保持部材と、前記左側ベルト保持部材と前記右側ベルト保持部材との間に、前記左右の鏡筒の回転が略同量だけ逆回転するように掛けられたベルトとを有する。
【０００８】
請求項２に係る発明の双眼鏡は、請求項１記載の双眼鏡であって、
前記連動装置の前記ベルトは、前記左側ベルト保持部材と前記右側ベルト保持部材との間に八の字に掛けられることを特徴とする。
【０００９】
請求項３に係る発明の双眼鏡は、左右の鏡筒と、前記左右の鏡筒の間にある鏡筒支持体と、前記左右の鏡筒と前記鏡筒支持体とを回転可能に繋ぐ左右のヒンジ部と、前記左右の鏡筒間に設けられた連動装置とを有し、前記連動装置は、左側ベルト保持部材と、右側ベルト保持部材と、前記左右のベルト保持部材間に設けられた反転ギアと、ベルトとを有し、前記反転ギアは、前記左側ベルト保持部材或いは前記右側ベルト保持部材のいずれかと噛み合い、前記ベルトは、前記反転ギアと、前記反転ギアにかみ合わない前記左側ベルト保持部材或いは前記右側ベルト保持部材のいずれかとの間に一重の環として掛けられることを特徴とする。
【００１０】
請求項４に係る発明の双眼鏡は、前記鏡筒支持体は、撮像装置を有することを特徴とする請求項１乃至３のいずれか１項に記載の双眼鏡である。
【００１１】
【発明の実施の形態】
以下、図面を参照して本発明の実施の形態について説明する。
【００１２】
図１は、本発明の第１の実施の形態に係る双眼鏡の概略構成図である。
【００１３】
第１の実施形態の双眼鏡は、右側鏡筒２Ｒと、左側鏡筒２Ｌと、鏡筒支持体１と、左側ヒンジ部３１と、右側ヒンジ部３２と、連動装置４と、を有する。
【００１４】
右側鏡筒２Ｒは、操作者が支持可能な右側支持部２４Ｒを有する。右側鏡筒２Ｒの内部に右側光学系２０Ｒを有する。右側光学系２０Ｒは、右側対物光学系２１Ｒ、右側プリズム光学系２２Ｒ、及び右側接眼光学系２３Ｒを含む。
【００１５】
左側鏡筒２Ｌは、操作者が支持可能な左側支持部２４Ｌを有する。左側鏡筒２Ｌの内部に左側光学系２０Ｌを有する。左側光学系２０Ｌは、左側対物光学系２１Ｌ、左側プリズム光学系２２Ｌ、及び左側接眼光学系２３Ｌを含む。
【００１６】
左側ヒンジ部３１は、球体３３Ｌ、３４Ｌを有する。左側鏡筒２Ｌ及びその支持部２４Ｌと、鏡筒支持体１とは、この２球体３３Ｌ、３４Ｌによって接続され、この２つの球体３３Ｌ、３４Ｌを結ぶ直線を軸（左側ヒンジ部３１の軸）３Ａとして、軸回転可能となる。
【００１７】
右側ヒンジ部３２は、図示されていない球体３３Ｒ、３４Ｒを有する。右側鏡筒２Ｒ及びその支持部２４Ｒは、右側ヒンジ部３２によって、２つの球体３３Ｒ、３４Ｒを結ぶ直線を軸（右側ヒンジ部３２の軸）３Ｂとして、軸回転が可能である。
【００１８】
連動装置４は、左側ベルト保持部材４１と、右側ベルト保持部材４２と、ベルト４３と、を有する。左側ベルト保持部材４１は、左側回転軸３Ａと同軸上にあり、左側鏡筒２Ｌに固定され、且つ、左側鏡筒２Ｌの左側支持部２４Ｌから観察者側に突出して設置される。右側ベルト保持部材４２は、右側ヒンジ部３Ｂと同軸上にあり、右側鏡筒２Ｒに固定され、且つ、右側回転軸３Ｂの右側支持部２４Ｒから観察者側に突出して設置される。ベルト４３は、左側ベルト保持部材４１と右側ベルト保持部材４２とを逆方向に同じ回転角だけ回転させるために、八の字の環を形成した後に、左側ベルト保持部材４１と右側ベルト保持部材４２をつなぐように掛けられる（図１参照）。
【００１９】
ベルト４３の形状は、図２（Ｂ）及び（Ｃ）に示すような形が考えられる。
【００２０】
図２（Ｂ）が示すベルト４３は、その両端部４３１、４３６をビスで互いに固定できる丸穴部を有する。左側ベルト保持部材４１と右側ベルト保持部材４２に接するベルト接触部４３２、４３４は同じ長さ、同じ構造である。ベルト接触部４３２、４３４に開いた複数の長方形の穴は滑り止めのためであり、そのいずれかが左側ベルト保持部材４１と右側ベルト保持部材４２にある突起部４５、４６（図２（Ａ）参照）と嵌合する。また、ベルト接触部４３２とベルト接触部４３４との間には、長方形のベルト穴部４３３がある。また、ベルト接触部４３４と末端部４３６との間の切り欠け部４３５のベルトの幅は、長方形のベルト穴部４３３の幅よりも狭くなっている。
【００２１】
図２（Ｂ）の場合のベルト４３が、八の字の環を形成するには、ベルト４３の末端部４３６を、長方形のベルト穴部４３３に通し、末端部４３６をもう一方の末端部４３１に重ねて、両端部４３１及び４３６にある丸穴部にビスを通して固定すればよい。
【００２２】
図２（Ｃ）が示すベルト４３は、その両端部４３７、４４２をビスで互いに固定できる丸穴部を有する。ベルト接触部４３８、４４０は同じ長さ、同じ構造であり、この接触部が各々左側ベルト保持部材４１、右側ベルト保持部材４２に接する。ベルト接触部４３８、４４０に開いた複数の長方形の穴は滑り止めのためであり、そのいずれかが左側ベルト保持部材４１と右側ベルト保持部材４２にある突起部４５、４６と嵌合する（図２（Ａ）参照）。また、ベルト接触部４３８とベルト接触部４４０との間には、切り欠け部分４３９がある。また、ベルト接触部４４０と末端部分４４２との間に切り欠け部分４４１がある。切り欠け部分４３９、４４１のベルトの幅は、ベルト接触部４３９、４４０のベルトの幅の半分以下となっている。
【００２３】
なお、切り欠け部分４３９、４４１は、ベルト４３を八の字に捻って取り付けるために、ベルトの交差部分が重ならないようにするためのものである。
【００２４】
この場合、切り欠け部分４３９の凹側と切り欠け部分４４１の凹側が向かい合うように、八の字の環を形成し、末端部４３７及び４４２を重ねて丸穴部にビスを通して固定すればよい。
【００２５】
なお、ベルト４３の形状は、図３に示すように、予め一重の環となった形状であってもよい。この形状から八の字の環を作るために、環を図３の矢印の方向に捻って、両方の環を左側ベルト保持部材４１と右側ベルト保持部材４２とにそれぞれ掛ければよい。
【００２６】
また、ベルト４３は、切り欠け部分を持たないベルトであってもよい。このようなベルト４３が左側ベルト保持部材４１と右側ベルト保持部材４２とに八の字に掛けられた場合、図４の連動装置４が示すように、ベルト４３がかかる部分の幅が、図１の場合に比べて、広くなる。
【００２７】
以上、一実施形態を適用した双眼鏡の構成を説明した。
【００２８】
次に上記構成の双眼鏡の動作を説明する。
【００２９】
操作者が眼幅調整を行なう場合、つまり、操作者が、左接眼光軸Ｌと右接眼光軸Ｒとの間隔ｄ（図１（Ｂ）参照）と、操作者自身の眼幅と、を合わせる場合、操作者は、軸３Ａ及び軸３Ｂの各々の回りに、鏡筒２Ｌ及び２Ｒを回転移動させる。例えば、まず、操作者が左側鏡筒２Ｌを軸３Ａの回りに反時計方向に回転させると、ベルト４３が掛けられた左側ベルト保持部材４１も、左側鏡筒２Ｌと同方向に同角度だけ回転する。この回転に伴い左側ベルト保持部材４１に繋ったベルト４３も、回転量に相当する長さだけ移動する。そして、ベルト４３の移動を介して、左側ベルト保持部材４１の回転が、右側ベルト保持部材４２に伝えられる。ベルト４３が、襷がけになっていることで、結果として、右側鏡筒２Ｒは、ほぼ同時に左側鏡筒２Ｌと逆方向に同じ角度回転することになる。これにより、左右の鏡筒を結ぶラインと支持体の横方向のラインを平行に保ったまま眼幅の調整ができる。
【００３０】
以上、上記双眼鏡の動作を説明した。
【００３１】
次に、上記一実施形態が適用された双眼鏡によって、次のような効果が期待できる。
【００３２】
まず、連動装置４を介して左右の鏡筒が互いに逆方向に同じ角度回転することにより、左右の鏡筒の接眼光軸Ｌ、Ｒを結んだ線と鏡筒支持体１の平面部が平行となり、また、撮像装置５に備えられた撮像素子６の長辺と平行になる。その結果、双眼鏡の視野と撮像装置５の視野とを平行に保つことができる。
【００３３】
また、連動装置４にベルト４３を用いることで、ギアの噛み合わせ部分のガタつき（バックラッシュ）の問題が解消される。
【００３４】
また、本実施例の連動装置４は、ギアを使わないため安価で、構造が簡単であり、小型で、組み立てもしやすくなる。叉、軽量化も実現できる。
【００３５】
また、鏡筒支持体１の内部に連動装置４に係る連結ギアの軸や軸受け等を設置する必要がないので、鏡筒支持体１に装置（例えば、撮像装置５）を搭載する場合に、空間の制限を加えることもなく、設計の自由度が大きくなる。
【００３６】
更に、仮に鏡筒支持体１の部分を大きくする設計であっても、ベルト４３の長さを伸ばすことだけで対応可能である。鏡筒支持体１をさらに大きく設計した場合、鏡筒支持体１にベルト４３を掛ける軸を新たに設置したとしても、追加する軸の数は、連動ギアを増やす場合に比べて少なく、結果として、ガタ等の原因や鏡筒支持体１への空間的な制限は、連動ギアを増やす場合に比べて少ない。また、構造も簡素なものとなる。
【００３７】
また、図２及び図３に示すように、ベルト４３が切りかけ部分を持つ場合、ベルト４３がベルト保持部材４１及び４２に接する部分の幅は、ベルト４３の幅に等しい。これにより、連動装置４の小型化ができる。
【００３８】
一方、図４に示すように、ベルト４３が切りかけ部分を持たない場合、ベルト４３自体の構造を簡易化できる。
【００３９】
尚、本発明は、上記の実施形態に限定されるものではない。その要旨の範囲内で数々の変形が可能である。
【００４０】
例えば、前述の一実施形態ではベルト保持部材４１、４２に、ベルト４３を、襷がけに掛ける構造とした。しかし、図５が示すように、ベルト保持部材４１、４２の間に、新たな反転ギア４４を設け、反転ギア４４とベルト保持部材４２との間に、ベルト４３の環を一重に掛ける構造も考えられる。この場合、反転ギア４４は、その回転軸と同軸上に、ベルト保持部材４１と噛み合う歯車と、ベルト４３がかかる部分と、を有する。ベルト保持部材４１と反転ギア４４との回転は逆方向であり、ベルトを襷がけにする必要はない。
【００４１】
その動作は、次のようになる。まず、鏡筒２Ｌに伴うベルト保持部材４１の回転は、歯車を介して接触している反転ギア４４に伝えられる。反転ギア４４に伝わった回転は、歯車と同軸上に一重に掛けられたベルト４３を通してベルト保持部材４２に伝えられる。その結果、ベルト保持部材４２の回転に伴って、鏡筒２Ｒは鏡筒２Ｌと逆方向へ同じ角度だけ、回転する。
【００４２】
本変形例の持つ効果として、ベルトを襷がけにする必要がないため、ベルトの構造を簡単なものにできる利点がある。また、反転ギア４４を双眼鏡の中心Ｃ（図４参照）から離すことができる。これにより、鏡筒支持体１の内部に設けられる反転ギア４４の軸及び軸受け等が、鏡筒支持体１に設置する装置（例えば、撮像装置５）に対して与える振動等の影響を、少なくすることができる。
【００４３】
【発明の効果】
本発明によれば、簡易な構造で左右の鏡筒の動きを連動させることが可能な双眼鏡を提供できる。
【図面の簡単な説明】
【図１】本発明に関わる第１実施形態の双眼鏡の構成図である。
【図２】第１実施形態のベルト装着例と、ベルトの構造である。
【図３】第１実施形態のベルトの変形例と、その装着法である。
【図４】第１実施形態のベルト装着法の変形例である。
【図５】第１実施形態の変形例である双眼鏡の構成図である。
【符号の説明】１…鏡筒支持体、２Ｌ…左側鏡筒、２Ｒ…右側鏡筒、３Ａ…左回転軸、３Ｂ…右回転軸、４…連動装置、５…撮像装置、６…撮像素子、２０Ｌ…左側光学系、２１Ｌ…左側対物系、２２Ｌ…左側プリズム系、２３Ｌ…左側接眼系、２０Ｒ…右側光学系、２１Ｒ…右側対物系、２２Ｒ…右側プリズム系、２３Ｒ…右側接眼系、２４Ｌ…左側支持部、２４Ｒ…右側支持部、３１…左側ヒンジ部，３２…右側ヒンジ部、３３Ｌ，３４Ｌ，３３Ｒ，３４Ｒ…球体、４１…左側ベルト保持部材、４２…右側ベルト保持部材、４３…ベルト、４４…反転ギア、４５、４６…突起部、４３１、４３６、４３７、４４２…ベルト末端部、４３２、４３４、４３８、４４０、４４３、４４４…ベルト接触部、４３３…ベルト穴部、４３５、４３９、４４１、４４５、４４６…切り欠け部、Ｃ…双眼鏡の中心、Ｌ…左接眼光軸中心、Ｒ…右接眼光軸中心、ｄ…光軸距離。
【図１】
2004252126.tif 000003
【図２】
2004252126.tif 000004
【図３】
2004252126.tif 000005
【図４】
2004252126.tif 000006
【図５】
2004252126.tif 000007